(57)【要約】【課題】  耐衝撃性の向上が可能な電磁リレーを提供する。【解決手段】  電磁石１と、電磁石１の磁力により回転駆動されるアーマチュア２と、これらを収納するハウジング３と、アーマチュア２を回転可能に支持する支持体４とを備える。支持体４は、ハウジング３に固定される固定部４１と、アーマチュア２が有する軸受け穴２０に挿入される円柱形状の軸部４２を有する。支持体４の固定部４１において、軸部４２を挟む両側には、それぞれ軸部４２の軸方向に貫通した貫通穴４０が設けられている。支持体４において、軸部４２を固定部４１に対して回転させるような弾性変形が発生しやすくなるから、衝撃を受けた場合にも上記の弾性変形により応力が吸収されることで破損が発生しにくくなり、すなわち耐衝撃性の向上が可能となる。【選択図】図１
2013030305.tif 000002
【特許請求の範囲】
【請求項１】
電磁石と、
前記電磁石の磁力によって駆動されて前記電磁石に対し回転可能なアーマチュアと、
前記アーマチュアに連動する可動接点と、
前記アーマチュアの回転に伴って前記可動接点が離接する固定接点と、
前記電磁石と前記アーマチュアと前記可動接点と前記固定接点とをそれぞれ収納するとともに前記電磁石と前記固定接点とがそれぞれ固定されたハウジングと、
前記ハウジングに対して固定される固定部と前記アーマチュアが有する軸受け穴に挿入される円柱形状の軸部とを有して前記アーマチュアを回転可能に支持する支持体とを備え、
前記支持体において、前記可動接点の変位方向と前記軸部の軸方向とに直交する方向において前記軸部を挟む位置の少なくとも一方には、それぞれ前記軸部の軸方向に貫通した貫通穴が設けられていることを特徴とする電磁リレー。
【請求項２】
前記貫通穴の内周面は曲面からなることを特徴とする請求項１記載の電磁リレー。
【発明の詳細な説明】
【技術分野】
【０００１】
本発明は、電磁リレーに関するものである。
【背景技術】
【０００２】
従来から、可動接点に連結されたアーマチュアを電磁石の磁力で回転駆動することで可動接点を固定接点に離接させる電磁リレーが提供されている（例えば、特許文献１参照）。
【先行技術文献】
【特許文献】
【０００３】
【特許文献１】実開平４−２４２４２号公報
【発明の概要】
【発明が解決しようとする課題】
【０００４】
上記のような電磁リレーでは、衝撃を受けたときにアーマチュアの回転軸が比較的に破損しやすい。
【０００５】
本発明は、上記事由に鑑みて為されたものであり、その目的は、耐衝撃性の向上が可能な電磁リレーを提供することにある。
【課題を解決するための手段】
【０００６】
本発明は、電磁石と、前記電磁石の磁力によって駆動されて前記電磁石に対し回転可能なアーマチュアと、前記アーマチュアに連動する可動接点と、前記アーマチュアの回転に伴って前記可動接点が離接する固定接点と、前記電磁石と前記アーマチュアと前記可動接点と前記固定接点とをそれぞれ収納するとともに前記電磁石と前記固定接点とがそれぞれ固定されたハウジングと、前記ハウジングに対して固定される固定部と前記アーマチュアが有する軸受け穴に挿入される円柱形状の軸部とを有して前記アーマチュアを回転可能に支持する支持体とを備え、前記支持体において、前記可動接点の変位方向と前記軸部の軸方向とに直交する方向において前記軸部を挟む位置の少なくとも一方には、それぞれ前記軸部の軸方向に貫通した貫通穴が設けられていることを特徴とする。
【０００７】
上記の電磁リレーにおいて、前記貫通穴の内周面は曲面からなることが望ましい。
【発明の効果】
【０００８】
本発明によれば、支持体において、貫通穴の存在により、可動接点の変位方向に平行な軸周りで軸部を固定部に対して回転させるような弾性変形が発生しやすくなるから、衝撃を受けた場合にも上記の弾性変形により応力が吸収されることで破損が発生しにくくなる。また、上記の弾性変形は、可動接点の変位方向と同じ方向への軸部の変位を招くものではないから、アーマチュアの動作に比較的に影響を与えにくい。
【図面の簡単な説明】
【０００９】
【図１】本発明の実施形態を示す、一部省略した分解斜視図である。
【図２】同上を示す、一部省略した斜視図である。
【図３】同上の支持体を示す正面図である。
【図４】（ａ）〜（ｃ）はそれぞれ同上の変更例における支持体を示す正面図である。
【図５】同上の比較例を示す、一部省略した分解斜視図である。
【発明を実施するための形態】
【００１０】
以下、本発明を実施するための最良の形態について、図面を参照しながら説明する。
【００１１】
本実施形態は、図１及び図２に示すように、電磁石１と、電磁石１の磁力により回転駆動されるアーマチュア２と、電磁石１とアーマチュア２とをそれぞれ収納し電磁石１が固定されたハウジング３とを備える。以下、上下左右前後方向を、それぞれ図１に示すように定義する。但し、上記の方向はあくまで説明の便宜上定義するものであって、実際の使用状態での方向とは必ずしも一致しない。
【００１２】
ハウジング３は、前面に収納凹部３０が開口したボディ３１と、ボディ３１の前側に結合して収納凹部３０を閉塞するカバー（図示せず）とを有する。
【００１３】
また、本実施形態は、アーマチュア２をハウジング３に対して回転可能に支持する支持体４を備える。支持体４は、厚さ方向を前後方向に向けた扁平な形状であって左右両端部がそれぞれボディ３１に固定された固定部４１と、固定部４１の前面の中央部から前方へ突設され軸方向を前後方向に向けた円柱形状の軸部４２とを有する。固定部４１をボディ３１に固定する手段としては、例えば嵌合などの周知の手段を用いることができる。また、アーマチュア２には、断面円形状であって内径が軸部４２の外径よりも僅かに大きい軸受け穴２０が前後に貫設されており、軸受け穴２０に軸部４２が挿入されることで、アーマチュア２はハウジング３に対して軸部４２の中心軸周りに回転可能に支持される。
【００１４】
また、電磁石１は、軸方向を上下方向に向けて固定部４１の後側においてボディ３１に固定されたコイル（図示せず）と、磁性体からなりコイルによって磁化される磁極片１１とを有する。磁極片１１は、コイルを上下に貫通した本体部（図示せず）と、本体部の上下両端部からそれぞれ前方に突設された可変磁極部１１ａとを有し、全体としてＵ字形状となっている。すなわち、各可変磁極部１１ａはそれぞれコイルへの通電方向に応じた極性に励磁されるのであって、その極性は可変磁極部１１ａ間で互いに異なる。ハウジング３には、それぞれ一端が上記のコイルに電気的に接続されて他端がハウジング３の左方に突出した複数本（図では３本）コイル端子６０が保持されており、コイルへの通電はコイル端子６０を通じて行うことができる。具体的には、本実施形態の電磁リレーはいわゆる２巻線ラッチング型であって、上記のコイルはタップを有しており、コイル端子６０はコイルの両端とタップとに１個ずつが電気的に接続されている。
【００１５】
また、アーマチュア２は、それぞれ１個ずつの可変磁極部１１ａを左右から挟む固定磁極部２１ａを、上下両端部に１組ずつ有する。固定磁極部２１ａの各組において、可変磁極部１１ａの左側の固定磁極部２１ａと可変磁極部１１ａの右側の固定磁極部２１ａとは互いに異なる極性に磁化されている。具体的には、アーマチュア２は、Ｎ極を左右方向のうち互いに共通の方向に向けた２個の永久磁石２２と、それぞれ磁性体からなり各永久磁石２２の一方ずつの極に磁着された２個の接極子２１とが、合成樹脂成型体２３にインサート成型されたものである。すなわち、各接極子２１のうち、それぞれ永久磁石２２よりも上下に突出した上下両端部が、それぞれ固定磁極部２１ａとなっている。そして、電磁石１のコイルに通電されると、可変磁極部１１ａの左右の固定磁極部２１ａのうち通電方向に応じた側の一方の固定磁極部２１ａが可変磁極部１１ａに吸引されることで、アーマチュア２はハウジング３に対しコイルへの通電方向に応じた方向に回転する。また、コイルにいったん通電されると、コイルに逆方向の電流が流されるまでは、アーマチュア２の位置（及び、これに連動する可動接点５１等の位置）は上記の永久磁石２２の磁力によって維持（ラッチング）される。
【００１６】
さらに、ハウジング３には、上記のようなアーマチュア２の回転に連動する可動接点５１と、この可動接点５１に離接する固定接点（図示せず）とが収納されている。さらに、可動接点５１と固定接点とはそれぞれ１個ずつの端子板６１，６２に電気的に接続されている。すなわち、可動接点５１と固定接点との離接に伴って端子板６１，６２間の電気的な接続がオンオフされる。各端子板６１，６２は、それぞれ、厚さ方向を左右方向に向けた金属板からなり、上端部がハウジング３外に突出する形でハウジング３に固定されている。また、可動接点５１は、厚さ方向を左右方向に向け下端を端子板６１の右面に固定された板ばね７の上端部に固定されることで、固定接点の左側においてハウジング３に対して左右に弾性的に変位可能となっている。
【００１７】
さらに、本実施形態は、上記の板ばね７とアーマチュア２とに連結されることにより可動接点５１をアーマチュア２に連動させるカード８を備える。可動接点５１に接続された端子板６１は、カード８の変位を阻害しないように、カード８の進路を避けた形状とされている。アーマチュア２や板ばね７とカード８との連結は、例えば、カード８に設けた凹部（図示せず）にアーマチュア２や板ばね７の一部を挿入することで達成される。また、ハウジング３には、カード８の一部を露出させる操作窓３２が設けられており、この操作窓３２から治具（図示せず）等を入れてカード８を操作することでも接点の開閉が可能となっている。
【００１８】
ここで、図３に示すように、支持体４の固定部４１において、可動接点５１の変位方向（左右方向）と軸部４２の軸方向（前後方向）とに直交する方向である上下方向で軸部４２を挟む両側には、それぞれ軸部４２と同心の円弧形状であって前後に貫通した貫通穴４０が設けられている。
【００１９】
なお、貫通穴４０の形状は上記のような円弧形状に限られず、図４（ａ）に示すような長方形状であってもよいし、図４（ｂ）（ｃ）に示すような三角形状であってもよい。ただし、図４（ａ）〜（ｃ）のように貫通穴４０の内周面が平面で構成されるよりも、図３のように貫通穴４０の内周面が曲面で構成されているほうが、応力が比較的に集中しにくいから望ましい。
【００２０】
上記構成によれば、図５に示すように支持体４に貫通穴４０が設けられない場合に比べ、軸部４２を上下方向に倒すような支持体４の弾性変形が発生しやすくなるから、衝撃を受けた場合にも上記の弾性変形により応力が吸収されることで破損が発生しにくくなる。すなわち、耐衝撃性の向上が可能である。
【００２１】
また、上記の弾性変形により軸部４２の先端（前端）が変位する方向である上下方向は、固定接点に対する可動接点５１の変位方向である左右方向に直交しているから、上記の弾性変形がアーマチュア２の動作に比較的に影響を与えにくい。
【００２２】
なお、貫通穴４０を軸部４２の上下の一方のみに設けた場合であっても、貫通穴４０を設けない場合に比べれば上記の弾性変形は発生しやすくなるが、貫通穴４０は軸部４２を挟む両側に設けることが望ましい。
【００２３】
また、本実施形態では、固定磁極部２１ａと可変磁極部１１ａとの組は軸部４２の上下両側に１組ずつ計２組設けられているが、例えば固定磁極部２１ａや可変磁極部１１ａが軸部４２の上下一方側にのみ設けられるような場合であっても、本発明は適用可能である。
【符号の説明】
【００２４】
１  電磁石
２  アーマチュア
３  ハウジング
４  支持体
２０  軸受け穴
４０  貫通穴
４１  固定部
４２  軸部
５１  可動接点
【図１】
2013030305.tif 000003
【図２】
2013030305.tif 000004
【図３】
2013030305.tif 000005
【図４】
2013030305.tif 000006
【図５】
2013030305.tif 000007